【事件の表示】
　特願２０１８−　１９００２「アプリケーション処理システム、アプリケーション処理方法、及びアプリケーション処理プログラム」拒絶査定不服審判事件〔令和　１年　８月２２日出願公開，特開２０１９−１３６０６６〕について，次のとおり審決する。
【結　論】
　本件審判の請求は，成り立たない。
【理　由】
１　手続の経緯
　本件拒絶査定不服審判事件に係る出願（以下，「本件出願」という。）は，平成３０年２月６日に出願された特許出願であって，同年４月１１日付けで拒絶理由が通知され，同年７月３日に意見書及び手続補正書が提出され，同年８月２９日付けで拒絶査定（以下，「原査定」という。）がなされた。
　本件拒絶査定不服審判事件は，原査定を取り消す，本件出願は特許すべきものとする，との審決を求めて，同年１１月２８日に請求されたものである。
２　請求項１に係る発明
　本件出願の請求項１ないし１０に係る発明は，平成３０年７月３日に提出された手続補正書による補正後の特許請求の範囲の請求項１ないし１０に記載された事項によって特定されるとおりのものと認められるところ，そのうち請求項１の記載は次のとおりである。
「一又は複数のコンピュータプロセッサを備え，ユーザの頭部に装着されるヘッドマウントディスプレイに仮想キャラクタを含む仮想空間の画像を出力することにより前記ユーザに前記仮想キャラクタとのインタラクションを提供するアプリケーション処理システムであって，
　前記一又は複数のコンピュータプロセッサは，コンピュータ読み取り可能な命令を実行することにより，
　前記ヘッドマウントディスプレイによって検出される一又は複数の検出情報に基づいて，前記仮想キャラクタに対して行われるアクションであって前記仮想空間における前記ユーザの頭部の動きと関連づけられている第１アクションを特定し，
　前記仮想空間に含まれている特定オブジェクトが選択されたことに応じ，前記一又は複数の検出情報に基づいて，前記仮想キャラクタに対して行われるアクションであって前記仮想空間における前記ユーザの頭部の動きと関連づけられていない第２アクションを特定し，
　前記特定オブジェクトは，第１メニューアイテム及び第２メニューアイテムに関連づけられており，
　前記第２アクションは，前記第１メニューアイテムに関連づけられた第１メニューアイテムアクション，及び，前記第２メニューアイテムに関連づけられた第２メニューアイテムアクションを含み，
　前記第２メニューアイテムアクションは，前記第１メニューアイテムアクションとは異なる動作に対応するアクションであり，
　前記第１メニューアイテムの注視後に前記一又は複数のキャラクタ注視位置のうちの少なくとも一つが注視されることにより，前記第１メニューアイテムアクションが前記第２アクションとして特定され，前記第２メニューアイテムの注視後に前記一又は複数のキャラクタ注視位置のうちの少なくとも一つが注視されることにより，前記第２メニューアイテムアクションが前記第２アクションとして特定される，
　アプリケーション処理システム。」（以下，「本件発明」という。）
３　原査定の拒絶の理由の概要
　本件発明に対する原査定の拒絶の理由は，概略，本件発明は，その出願前日本国内または外国において，頒布された刊行物に記載された発明又は電気通信回線を通じて公衆に利用可能となった発明に基づいて，その出願前にその発明の属する技術の分野における通常の知識を有する者が容易に発明をすることができたものであるから，特許法２９条２項の規定により特許を受けることができない，というものである。
　原査定の拒絶の理由において引用された引用例は，次のとおりである。
引用文献１：ホッと一息できるＶＲアプリ「カフェかの」のメイドが可愛すぎる！，ペンギンＶＲ[online]，２０１７年１０月１７日，[２０１８年４月１０日検索]，インターネット＜ＵＲＬ：http://penguin-vr.com/cafekano＞
引用文献２：.「パンチライン　ＶＲミュージアム」大型アップデート！女の子にイタズラ「シナモンモード」実装，ＰＡＮＯＲＡ[online]，２０１７年２月３日，[２０１８年４月１０日検索]，インターネット＜ＵＲＬ：http://panora.tokyo/19917/＞
４　引用例
（１）引用文献１
　ア　引用文献１の記載
　原査定の拒絶の理由で引用された引用文献１は，本件出願の出願前に電気通信回線を通じて公衆に利用可能となったものであるところ，当該引用文献１には次の記載がある。（下線部は，後述する「引用発明」の認定に特に関係する箇所を示す。）
「２０１７．１０．１７　SmartPhoneVR
ホッと一息できるＶＲアプリ『カフェかの』のメイドが可愛すぎる！
・・・（中略）・・・
『ＶＲカフェかの』は，可愛らしいウェイトレスが接客するカフェを訪ねられるＶＲアプリだ。
能登谷
れあちゃんがウェイトレスを務めるカフェ
そこ
に通って常連客となり，れあちゃんといろいろな会話を通していくことでコミュニケーションを図っていく
ただれあちゃんの話を聞いているだけではなく，れあちゃんからは時折質問も投げかけられるので，逐一回答をしてあげると，回答に応じた反応をみせてくれるのだ。
・・・（中略）・・・
｜リアルにコミュニケーションを取る空気感も感じられる！
れあちゃんとの会話ではメニューを選んだり，Yes/Noクエスチョンがあったりと，こちらから意思表示をする機会がある
Yes/Noクエスチョンでは，ＶＲアプリによくある注視による回答の選択，ではなくうなずきや首振りによって回答を選ぶことができる。
更には質問に制限時間があったりと，れあちゃんとのコミュニケーションを身をもって感じることができるようになっている。
・・・（中略）・・・
｜カフェに入ってから
タイトル画面をタップすると『一眼モード』，『二眼モード』にかかわらず，画像のような画面が表示される。
ＶＲゴーグルを使っていない場合でも，５秒間端末を立てておく必要があるので注意しよう。
ゲームが始まると，れあちゃんといろいろなお話ができる。
中には
選択肢が出て来るものもあるので，選びたい選択肢を注視して選択
Yes/Noクエスチョンでは，
頷くことでYes，首を横に振ることでNoの意思表示ができる
このようにして質問に答えたり，レアちゃんの話を聞いているうちに時間が来て退店，と言った流れになっている。
・・・（中略）・・・
アプリ　　　ＶＲカフェかの
ジャンル　　
シミュレーション
メーカー　　ファンタジスタ
価格　　　　無料
対応機種　　iOS/Android
配信日　　　配信中」
　イ　引用文献１の記載から把握される発明
　引用文献１の「アプリ　　　ＶＲカフェかの」及び「対応機種　　iOS/Android」という記載から，「ＶＲカフェかの」がスマホにインストールするアプリであることが把握され，「｜カフェに入ってから」欄の冒頭の画像から，「ＶＲカフェかの」を実行することにより提供されるゲームが，ＶＲゴーグルにスマホをセットしてプレイされるものであることが把握され，同欄の２番目の画像及びその直下の文章から，メニューを選ぶ際には，メニューに表示された「ホットコーヒー」や「アイスコーヒー」等の選択肢の中から，選びたい選択肢を注視することによって選択できることが把握されるから，前記アで摘記した引用文献１の記載から，ＶＲゴーグルと，アプリである「ＶＲカフェかの」をインストールしたスマホとを備え，スマホに「ＶＲカフェかの」を実行させることによって，「れあちゃん」という仮想キャラクタとのコミュニケーションを図っていくシミュレーションゲームをプレイすることができるゲームシステムに係る発明を把握することができるところ，当該発明の構成は次のとおりである。
「ＶＲゴーグルと，『ＶＲカフェかの』というアプリをインストールしたスマホとを備え，前記ＶＲゴーグルに前記スマホをセットし，前記スマホに前記『ＶＲカフェかの』というアプリを実行させることによって，『れあちゃん』がウェイトレスを務めるカフェに通って常連客となり，『れあちゃん』といろいろな会話を通していくことでコミュニケーションを図っていくシミュレーションゲームをプレイすることができるゲームシステムであって，
　『れあちゃん』との会話ではメニューを選んだり，Yes/Noクエスチョンがあったりと，こちらから意思表示をする機会があり，
　メニューを選ぶ際には，メニューに表示されたホットコーヒー等の選択肢の中から，選びたい選択肢を注視することにより選択することができ，
　Yes/Noクエスチョンでは，頷くことでYes，首を横に振ることでNoの意思表示ができる，
　ゲームシステム。」（以下，「引用発明」という。）
（２）引用文献２
　ア　引用文献２の記載
　原査定の拒絶の理由で引用された引用文献２は，本件出願の出願前に電気通信回線を通じて公衆に利用可能となったものであるところ，当該引用文献２には次の記載がある。（下線部は，後述する「引用文献２技術」の認定に特に関係する箇所を示す。）
「シーエスレポーターズの「Gugenka」ブランドは，iOS/Android用ＶＲアプリ「パンチラインＶＲミュージアム」の大型アップデートを実施した。
キャラクターに
イタズラ
できる
・・・（中略）・・・
有料のスマートフォンＶＲアプリで２万ダウンロードを突破した，ちょっとエッチでフル３ＤＣＧ＆フルボイスの豪華仕様の「パンチラインＶＲミュージアム」。ひょんなことから幽体離脱してしまったあなたは個性豊かな美少女たちが暮らすアパート「古来館」に迷い込んでしまう。幽体なので，「古来館」の中を縦横無尽に回遊し放題。そこに自分がいるかのような体験が味わえる。・・・（中略）・・・
完全買い切りの追加課金なしで最後まで楽しめる本作が待望の大型アップデートを実施。新モード「シナモンモード」が追加された。
「シナモンモード」は，部屋に置かれたシナモンの瓶に触れることで突入。女の子に視点注視することでさまざまなイタズラができる。
イタズラできる
「頭」「顔」「腕」「足」「腰」「胸」の６か所
　イ　引用文献２の記載から把握される技術事項
　iOS/Android用ＶＲアプリ「パンチラインＶＲミュージアム」を実行することによりゲームが提供されることは明らかであるから，前記アで摘記した引用文献２の記載から，引用文献２に次の技術事項が記載されていると認められる。
「ゲームにおいて，キャラクタの「頭」「顔」「腕」「足」「腰」「胸」の６か所のうちのいずれかを対象としてイタズラという行動を行う技術。」（以下，「引用文献２技術」という。）
５　判断
（１）対比
　ア　技術的にみて，引用発明の「『スマホ』がセットされた『ＶＲゴーグル』」，「れあちゃん」及び「ゲームシステム」は，本件発明の「ヘッドマウントディスプレイ」，「仮想キャラクタ」及び「アプリケーション処理システム」にそれぞれ対応する。
　イ　引用発明の「『スマホ』がセットされた『ＶＲゴーグル』」（本件発明の「ヘッドマウントディスプレイ」に対応する。以下，「５　判断」欄において，「」で囲まれた引用発明の構成に付された（）内の文言は，当該引用発明の構成に対応する本件発明の発明特定事項を表す。）が，ユーザの頭部に装着されることは，「ＶＲゴーグル」という名称から自明である。また，引用発明の「スマホ」が，一又は複数のコンピュータプロセッサを備えることは，明らかである。
　したがって，引用発明の「『スマホ』がセットされた『ＶＲゴーグル』」と，本件発明の「ヘッドマウントディスプレイ」は，「一又は複数のコンピュータプロセッサを備え，ユーザの頭部に装着される」点で一致する。
　ウ　引用発明の「ゲームシステム」は，「れあちゃん」（仮想キャラクタ）がウェイトレスを務めるカフェに通って常連客となり，「れあちゃん」といろいろな会話を通していくことでコミュニケーションを図っていくシミュレーションゲームをプレイすることができるものであるから，「れあちゃん」とのインタラクションを提供するものといえる。
　また，引用発明の「ゲームシステム」において，シミュレーションゲームを実行する際には，「『スマホ』がセットされた『ＶＲゴーグル』」（ヘッドマウントディスプレイ）中の「スマホ」のディスプレイに，「れあちゃん」（仮想キャラクタ）を含む仮想空間の画像を出力することは明らかである。
　したがって，引用発明の「ゲームシステム」と，本件発明の「アプリケーション処理システム」は，「ヘッドマウントディスプレイに仮想キャラクタを含む仮想空間の画像を出力することによりユーザに仮想キャラクタとのインタラクションを提供する」点で一致する。
　エ　引用発明の「ＶＲカフェかの」はアプリであるから，「コンピュータ読み取り可能な命令」である。
　そして，引用発明の「スマホがアプリを実行する」とは，スマホに内蔵されたコンピュータプロセッサがコンピュータ読み取り可能な命令を実行することにほかならないから，引用発明の「スマホがアプリを実行する」ことは，本件発明の「一又は複数のコンピュータプロセッサは，コンピュータ読み取り可能な命令を実行する」に相当する。
　オ　引用発明においては，メニューを選ぶ際には，メニューに表示された「ホットコーヒー」等の選択肢の中から，選びたい選択肢を注視することにより選択することができ，Yes/Noクエスチョンでは，頷くことでYes，首を横に振ることでNoの意思表示ができるから，技術的にみて，ユーザがどこを注視しているのかや，頷いたのか首を横に振ったのかを検出するための一又は複数の検出器を，スマホ又はＶＲゴーグルが有しており，当該一又は複数の検出器の検出情報に基づいて，どこを注視しているのかを特定したり，頷いたのか首を横に振ったのかを特定したりしていることは，明らかである。
　そして，「Yes/Noクエスチョン」に対する回答である「頷くこと」及び「首を横に振ること」は，「れあちゃん」（仮想キャラクタ）に対して行うアクションであり，かつ，当該「頷くこと」及び「首を横に振ること」は，仮想空間におけるユーザの頭部の動きと関連付けられているアクションといえるから，引用発明のゲームシステムが行う，前述した検出器の検出情報に基づいて「頷くこと」及び「首を横に振ること」のいずれがなされたのかを特定する動作は，本件発明の「ヘッドマウントディスプレイによって検出される一又は複数の検出情報に基づいて，仮想キャラクタに対して行われるアクションであって仮想空間におけるユーザの頭部の動きと関連づけられている第１アクションを特定」することに相当する。
　また，「メニューを選ぶ」ことは，「れあちゃん」（仮想キャラクタ）に対していずれかの選択肢を注文することであるから，「れあちゃん」に対して行うアクションであり，かつ，仮想空間におけるユーザの頭部の動きと関連づけられていないアクションといえるから，引用発明のゲームシステムが行う，前述した検出器の検出情報に基づいていずれの選択肢が注視されているのかを特定する動作は，本件発明の「一又は複数の検出情報に基づいて，仮想キャラクタに対して行われるアクションであって仮想空間におけるユーザの頭部の動きと関連づけられていない第２アクションを特定」することに対応する。
　さらに，引用発明では，メニューを選ぶ際に，メニューに表示されたホットコーヒー等の選択肢の中から，選びたい選択肢を注視することにより選択することができるよう構成されているところ，当該「メニューに表示されたホットコーヒー等の選択肢」と，本件発明の「一又は複数のキャラクタ注視位置」は，「一又は複数の注視位置」である点で共通するから，引用発明の「メニューに表示されたホットコーヒー等の選択肢の中から，選びたい選択肢を注視」しているのを検出して，ユーザが選んだメニューを特定するという動作は，本件発明の「第１メニューアイテムの注視後に一又は複数のキャラクタ注視位置のうちの少なくとも一つが注視されることにより，第１メニューアイテムアクションが第２アクションとして特定され，第２メニューアイテムの注視後に一又は複数のキャラクタ注視位置のうちの少なくとも一つが注視されることにより，第２メニューアイテムアクションが第２アクションとして特定される」ことと，「一又は複数の注視位置のうちの少なくとも一つが注視されることにより，第２アクションが特定される」点で共通するといえる。
　以上によれば，引用発明と本件発明は，「ヘッドマウントディスプレイによって検出される一又は複数の検出情報に基づいて，仮想キャラクタに対して行われるアクションであって仮想空間におけるユーザの頭部の動きと関連づけられている第１アクションを特定」する点で一致するとともに，「一又は複数の検出情報に基づいて，仮想キャラクタに対して行われるアクションであって仮想空間におけるユーザの頭部の動きと関連づけられていない第２アクションを特定」する点及び「一又は複数の注視位置のうちの少なくとも一つが注視されることにより，第２アクションが特定される」点で共通する。
　カ　前記アないしオに照らせば，本件発明と引用発明は，
「一又は複数のコンピュータプロセッサを備え，ユーザの頭部に装着されるヘッドマウントディスプレイに仮想キャラクタを含む仮想空間の画像を出力することにより前記ユーザに前記仮想キャラクタとのインタラクションを提供するアプリケーション処理システムであって，
　前記一又は複数のコンピュータプロセッサは，コンピュータ読み取り可能な命令を実行することにより，
　前記ヘッドマウントディスプレイによって検出される一又は複数の検出情報に基づいて，前記仮想キャラクタに対して行われるアクションであって前記仮想空間における前記ユーザの頭部の動きと関連づけられている第１アクションを特定し，
　前記一又は複数の検出情報に基づいて，前記仮想キャラクタに対して行われるアクションであって前記仮想空間における前記ユーザの頭部の動きと関連づけられていない第２アクションを特定し，
　一又は複数の注視位置のうちの少なくとも一つが注視されることにより，第２アクションが特定される，
　アプリケーション処理システム。」
である点で一致し，次の点で相違する。
相違点１：
　本件発明では，第２アクションの特定が，仮想空間に含まれている特定オブジェクトが選択されたことに応じて実行され，前記特定オブジェクトは，第１メニューアイテム及び第２メニューアイテムに関連づけられており，前記第２アクションは，前記第１メニューアイテムに関連づけられた第１メニューアイテムアクション，及び，前記第２メニューアイテムに関連づけられた第２メニューアイテムアクションを含み，前記第２メニューアイテムアクションは，前記第１メニューアイテムアクションとは異なる動作に対応するアクションであり，前記第１メニューアイテムアクション及び前記第２メニューアイテムアクションは，それぞれ，前記第１メニューアイテム及び前記第２メニューアイテムの注視後に，一又は複数のキャラクタ注視位置のうちの少なくとも一つが注視されることにより，第２アクションとして特定されるものであるのに対して，
　引用発明では，メニューを選ぶ際の，検出器の検出情報に基づいていずれの選択肢が注視されているのかを特定する動作が，何を契機として実行されるのかは定かでなく，また，メニューを選ぶという行為以外に，「仮想キャラクタに対して行われるアクションであって仮想空間におけるユーザの頭部の動きと関連づけられていない第２アクション」といえる行為が存在しないため，選びたい選択肢が注視される前に，第１メニューアイテム及び第２メニューアイテムのいずれかが注視されることはなく，注視されるのが，メニューに表示されるホットコーヒー等の選択肢であって，キャラクタ注視位置ではない点。
（２）相違点１について
　引用発明が提供するシミュレーションゲームは，「れあちゃん」という仮想キャラクタとのコミュニケーションを図っていくゲームであるところ，このようなシミュレーションゲームにおいて，メニューの選択及びYes/Noクエスチョンに対する回答という２種類の行動以外にも，現実の人間とのコミュニケーションにおいて実行されるような行動については，できるだけ，プレイヤが実行できるほうが，興趣性が向上することは当業者にとって自明である。
　そして，現実の人間とのコミュニケーションにおいて実行されるような行動として，例えば，髪型を褒めるとか，両手で握手するなど，コミュニケーション相手の身体の一部を対象として行う行動であって，頭部の動きと関連しない行動は，直ちに思いつくものであることに加えて，前記４（２）イで認定したように，キャラクタの「頭」「顔」「腕」「足」「腰」「胸」の６か所のうちのいずれかを対象としてイタズラという行動を行う引用文献２技術が，本件出願の出願より前に，引用文献２によって開示されていることを考慮すると，前記２種類の行動以外にプレイヤが実行できる行動として，仮想キャラクタの身体の一部を対象として行う行動であって頭部の動きと関連しない行動は，当業者にとって特段の工夫を要せずに想定できるものというほかない。
　そうすると，引用発明において，ゲーム中にプレイヤが実行できる行動として，前記２種類の行動以外に，仮想キャラクタの身体の一部を対象として行う行動であって頭部の動きと関連しない行動を複数用意することは，当業者にとって通常の創作能力の発揮でしかないというべきである。
　ここで，何かを対象として何らかの機能を実行することをコンピュータに指示する手法として，複数のコマンドの中から，実行する機能に対応するコマンドを選択した後，その対象を指定するという手順で入力する手法は，コンピュータソフトウェアの技術分野における常套手段であり，かつ，引用発明では，メニューを選ぶ際には，表示された複数の選択肢の中から選びたい選択肢を注視することによって選択しているのであるから，引用発明において，前述した複数の行動を用意するにあたって，複数の行動の選択肢を表示し，表示された複数の行動の選択肢の中のいずれが注視されているのかを検出し，その後，仮想キャラクタの身体の一部のいずれが注視されているのかを検出して，注視された仮想キャラクタの身体の一部を対象として，注視された選択肢に対応する行動が入力されたと特定するような構成を採用することは，当業者にとって自然なことである。
　しかるに，このような構成の変更を行った引用発明における「表示された複数の行動の選択肢」のそれぞれが，本件発明の「仮想空間に含まれている特定オブジェクト」に相当し，「仮想キャラクタの身体の一部を対象として行う行動であって頭部の動きと関連しない行動」は，本件発明の「仮想キャラクタに対して行われるアクションであって仮想空間におけるユーザの頭部の動きと関連づけられていない第２アクション」に相当するとともに，本件発明の「仮想空間に含まれている特定オブジェクトが選択されたことに応じ，一又は複数の検出情報に基づいて」，特定される旨の発明特定事項に相当する構成を具備しており，「表示された複数の行動の選択肢」の中の「一つ」及び「その他の一つ」が，それぞれ本件発明の「第１メニューアイテム」及び「第２メニューアイテム」に相当するとともに，前記「一つ」及び「その他の一つ」に対応する行動が，それぞれ本件発明の「第１メニューアイテムに関連付けられた第１メニューアイテムアクション」及び「第１メニューアイテムに関連付けられた第１メニューアイテムアクション」に相当し，前記「一つ」に対応する行動と前記「その他の一つ」に対応する行動とは，本件発明の「異なる動作に対応するアクションであ」るとの発明特定事項に相当する構成を具備しており，「表示された複数の行動の選択肢の中のいずれが注視されているのかを検出し，その後，仮想キャラクタの身体の一部のいずれが注視されているのかを検出して，注視された仮想キャラクタの身体の一部を対象として，注視された選択肢に対応する行動が入力されたと特定する」ことが，本件発明の「第１メニューアイテムの注視後に一又は複数のキャラクタ注視位置のうちの少なくとも一つが注視されることにより，第１メニューアイテムアクションが第２アクションとして特定され，第２メニューアイテムの注視後に一又は複数のキャラクタ注視位置のうちの少なくとも一つが注視されることにより，第２メニューアイテムアクションが第２アクションとして特定される」ことに相当するから，前述した構成の変更を行った引用発明は，相違点１に係る本件発明の発明特定事項に相当する構成を具備することとなる。
　したがって，引用発明を，相違点１に係る本件発明の発明特定事項に相当する構成を具備したものとすることは，当業者が容易に想到し得たことである。
（３）効果について
　本件発明が有する効果は，本件出願の請求項１に記載された各発明特定事項から，当業者が予測できた程度のものである。
（４）小括
　以上のとおりであるから，本件発明は，引用発明に基づいて，当業者が容易に発明をすることができたものである。
６　むすび
　本件発明は，引用発明に基づいて，当業者が容易に発明をすることができたものであるから，他の請求項に係る発明について検討するまでもなく，本件出願は，特許法２９条２項の規定により特許を受けることができない。
　よって，結論のとおり審決する。